(57)【要約】【課題】可逆性感熱シート１（以下、シート１という）を利用した画像の大画面表示と、装置の携帯とを両立させることができる画像表示装置を提供する。【解決手段】シート１と、シート１を正転に伴って送り出したり、逆転に伴って巻き戻したりする回動リール２と、これを駆動するための駆動手段と、シート１に画像を記録する記録部６と、シート１の記録済みの画像を消去する消去部３と、回動リール２、駆動手段、記録部６及び消去部３を内包する筺体２０とを備える画像表示装置において、シート１の送り出し方向における単位時間あたりの移動量を記録部６よる記録処理位置あるいはこれよりも移動方向上流側で調整する移動量調整手段を筺体２０内に設けるとともに、記録処理後のシートを出し入れするための開口２０ａを筺体２０に設け、開口２０ａを経由して外部に露出しているシート１の先端部におもり部材９を固定した。【選択図】図１
2007249049.tif 000002
【特許請求の範囲】
【請求項１】
画像の記録と消去とを繰り返し行うことが可能なシート状の可逆性記録媒体と、
正転及び逆転の両方向に回動可能に保持されながら、自らの表面に巻き付けている該可逆性記録媒体を正転に伴って送り出したり、逆転に伴って巻き戻したりする回動部材と、
該回動部材を少なくとも逆転方向に駆動するための表面移動駆動手段と、
該可逆性記録媒体の移動する表面に画像を記録する記録手段と、
該可逆性記録媒体の移動する表面の記録済みの画像を消去する消去手段と、
該回動部材、表面移動駆動手段、記録手段及び消去手段を内包する筺体とを備える画像表示装置において、
上記可逆性記録媒体の送り出し部分の送り出し方向における単位時間あたりの移動量を上記記録手段による記録処理位置あるいはこれよりも移動方向上流側で調整する移動量調整手段を上記筺体内に設けるとともに、記録処理後の該送り出し部分を出し入れするための開口を該筺体に設け、該開口を経由して外部に露出している該送り出し部分におもり部材を固定したことを特徴とする画像表示装置。
【請求項２】
請求項１の画像表示装置において、
上記筺体とは別体になっている支持体を設け、互いに係合可能な係合部と被係合部とのうち、該被係合部を該支持体に設け、且つ、該係合部を該筺体に設けたことを特徴とする画像表示装置。
【請求項３】
画像の記録と消去とを繰り返し行うことが可能なシート状の可逆性記録媒体と、
正転及び逆転の両方向に回動可能に保持されながら、自らの表面に巻き付けている該可逆性記録媒体を正転に伴って送り出したり、逆転に伴って巻き戻したりする回動部材と、
該回動部材を少なくとも逆転方向に駆動するための表面移動駆動手段と、
該可逆性記録媒体の移動する表面に画像を記録する記録手段と、
該可逆性記録媒体の移動する表面の記録済みの画像を消去する消去手段と、
該回動部材、表面移動駆動手段、記録手段及び消去手段を内包する筺体とを備える画像表示装置において、
上記可逆性記録媒体の送り出し部分の送り出し方向における単位時間あたりの移動量を上記記録手段による記録処理位置あるいはこれよりも移動方向上流側で調整する移動量調整手段を上記筺体内に設けるとともに、記録処理後の該送り出し部分を出し入れするための開口を該筺体に設け、該開口を経由して外部に露出している該送り出し部分に、該筺体とは別体になっている支持体に固定するための固定部材を取り付けたことを特徴とする画像表示装置。
【請求項４】
請求項３の画像表示装置において、
互いに係合可能な係合部と被係合部とのうち、該被係合部を上記支持体に設けるとともに、係合部を上記固定部材に設けたことを特徴とする画像表示装置。
【請求項５】
請求項１乃至４の何れかの画像表示装置において、
上記表面移動駆動手段、記録手段及び消去手段を制御する制御手段を上記筺体内に設けたことを特徴とする画像表示装置。
【請求項６】
請求項１乃至５の何れかの画像表示装置において、
上記移動量調整手段として、表面を無端移動させる表面無端移動体と、該表面を無端移動せしめるための表面移動駆動手段と、該表面無端移動体を上記可逆性記録媒体に圧接せしめる圧接手段と、該表面移動駆動手段を制御する駆動制御手段とを具備するものを用いたことを特徴とする画像表示装置。
【請求項７】
請求項１乃至５の何れかの画像表示装置において、
上記移動量調整手段として、表面の無端移動が可能になるように保持される表面無端移動体と、該無端移動体を上記可逆性記録媒体に圧接せしめる圧接手段と、該可逆性記録媒体の動きに追従して表面移動しようとする該無端移動体の追従量を調整する追従量調整手段とを具備するものを用いたことを特徴とする画像表示装置。
【請求項８】
請求項５の画像表示装置において、
上記回動部材を逆転させながら上記消去手段による画像の消去を行う制御を実施するように、上記制御手段を構成したことを特徴とする画像表示装置。
【請求項９】
請求項５の何れかの画像表示装置において、
上記回動部材を正転させながら上記消去手段による画像の消去を行う制御を実施するように、上記制御手段を構成したことを特徴とする画像表示装置。
【請求項１０】
請求項１乃至９の何れかの画像表示装置において、
上記筺体内又は固定部材に電源回路を設けたことを特徴とする画像表示装置。
【請求項１１】
請求項２又は４の画像表示装置において、
上記支持体に電源回路を設けるとともに、電気接点として機能する接点部材を上記係合部及び上記被係合部にそれぞれ設け、該係合部と該被係合部との係合に伴ってそれら接点部材を接触させるようにしたことを特徴とする画像表示装置。
【請求項１２】
請求項１乃至１１の何れかの画像表示装置において、
正転及び逆転の両方向に回動可能に保持されながら、正転に伴って上記可逆性記録媒体の上記送り出し部分を自らの表面に巻き付けたり、逆転に伴って該送り出し部分を送り返したりする第２の回動部材と、該第２の回動部材を少なくとも正転方向に駆動するための第２の表面移動駆動手段とを、上記おもり部材又は固定部材に設けたことを特徴とする画像表示装置。
【請求項１３】
請求項３、４又は１２の画像表示装置において、
上記可逆性記録媒体として、その長手方向に沿って延在するように配設された導電部材を有するものを用いるとともに、該可逆性記録媒体の該導電部材に接触する接点部材を、上記筺体と、上記おもり部材又は固定部材とに設けたことを特徴とする画像表示装置。
【請求項１４】
請求項５の画像表示装置において、
情報通信を行うための通信手段を上記筺体内又は固定部材に設けたことを特徴とする画像表示装置。
【請求項１５】
請求項２又は４の画像表示装置において、
情報通信を行うための通信手段を上記支持体に設けるとともに、電気接点として機能する接点部材を上記係合部及び上記被係合部にそれぞれ設け、該係合部と該被係合部との係合に伴ってそれら接点部材を接触させるようにしたことを特徴とする画像表示装置。
【請求項１６】
請求項１５の画像表示装置において、
上記表面移動駆動手段、記録手段及び消去手段を制御する制御手段を上記支持体に設けたことを特徴とする画像表示装置。
【請求項１７】
請求項１５又は１６の画像表示装置において、
上記係合部及び被係合部の組合せをそれぞれ複数設けるとともに、それら被係合部の上記接点部材をそれぞれ個別に上記通信手段又は制御手段に接続したことを特徴とする画像表示装置。
【請求項１８】
請求項１乃至１７の何れかの画像表示装置において、
外部から入力される個人識別情報を受け付ける識別情報受付手段を設けたことを特徴とする画像表示装置。
【請求項１９】
請求項１乃至１８の何れかの画像表示装置において、
外部から入力される表示内容選択情報を受け付ける選択情報受付手段を設けたことを特徴とする画像表示装置。
【請求項２０】
請求項１乃至１９の何れかの画像表示装置において、
外部から入力される表示内容更新時期情報を受け付ける更新時期情報受付手段を設けたことを特徴とする画像表示装置。
【請求項２１】
請求項１乃至２０の何れかの画像表示装置において、
上記筐体として、上記記録手段の記録処理部を内包している部分と、上記回動部材を内包している部分とを分離可能にしたものを用いたことを特徴とする画像表示装置。
【発明の詳細な説明】
【技術分野】
【０００１】
本発明は、可逆性記録媒体に対する画像の記録と消去とを繰り返すことで該可逆性記録媒体に画像を表示する画像表示装置に関するものである。
【背景技術】
【０００２】
近年、パーソナルコンピューターやプリンタなどの普及に伴う紙消費量の増加は、省エネルギー化やＣＯ２排出量の削減などといった地球環境の保全活動を阻害する要因になっている。このため、紙の代わりに、画像の記録と消去とを容易且つ短時間で繰り返すことができる可逆性記録媒体を用いる画像表示装置が着目されるようになってきた。
【０００３】
かかる画像表示装置としては、例えば、特許文献１に記載のものが知られている。この画像表示装置は、シート状の可逆性感熱記録媒体の長手方向における両端側をそれぞれ巻き取り軸に巻き付けながら、それら２本の巻き取り軸の間で可逆性感熱記録媒体を張架している。そして、２本の巻き取り軸の間には、消去部、記録部、透明板などを有している。透明板は、可逆性感熱記録媒体のおもて面に所定の間隙を介して対向しており、可逆性感熱記録媒体の展張箇所の一部領域を装置外部に視認させるための画面としての役割を担っている。可逆性記録媒体は、一方の巻き取り軸から送り出されながら他方の巻き取り軸に順次巻き取られていく過程で、透明板との対向位置に進入するのに先立って記録部を通過して加熱書込処理による画像が記録される。記録された画像が可逆性感熱記録媒体とともに移動して透明板との対向位置まで到達した際に、可逆性感熱記録媒体の送り出しが停止されることで、その画像が停止した状態で表示される。このような画像の記録と表示とを繰り返していくと、やがて、可逆性記録媒体の画像記録領域が他方の巻き取り軸に巻き取られていく。可逆性記録媒体の巻き取り方向が逆方向に切り換えられると、画像記録領域が一方のローラに向けて巻き戻されるように移動する。そして、消去部との対向位置を通過する際に、そこに記録されている画像が比較的低温の加熱処理によって消去される。
【０００４】
かかる構成の画像表示装置は、データ掲示板、プレゼンテーション資料の表示機、原稿の仮出力機など、様々な用途に用いることが可能である。但し、画像を表示するための画面用のスペースを確保することで比較的大型のものとなってしまうので、持ち運びが不便であるという不具合がある。
【０００５】
一方、別の構成の画像表示装置として、特許文献２に記載のものが知られている。この画像表示装置は、長手方向の両端側がそれぞれ巻き取り軸に巻き付けられたシート状の可逆性感熱記録媒体、それら巻き取り軸の間で可逆性感熱記録媒体にスライド移動可能に保持される記録部及び消去部などを有している。これらの各種部材を支持したり内包したりする筺体を有していないため、長尺シートを単に両端側から丸めたような単純な構造になっている。特許文献２によれば、この画像表示装置は携帯が可能でしかも大画面表示が可能であるとしている。
【０００６】
【特許文献１】特開２００４−１４８５３６号公報
【特許文献２】特開平９−２１６４６５号公報
【発明の開示】
【発明が解決しようとする課題】
【０００７】
しかしながら、特許文献２には、かかる構成の画像表示装置の携帯と大画面表示とを両立させるための具体的手段が何ら開示されていない。このことについて詳述すると、可逆性感熱記録媒体に画像を正常に記録するためには、可逆性感熱記録媒体を一方の巻き取り軸から他方の巻き取り軸に向けて等速で送り出しながら、記録部に通さなければならない。かかる操作を手作業で行うことはできないため、駆動モータや等速送り出し機構などからなる表面移動駆動手段が必要になる。また、可逆性加熱記録媒体を張架して画面表示サイズよりも大きな媒体展張領域を得るための張架手段も必要になってくる。これらの手段がなければ画像を記録したり、消去したり、表示したりすることができないので、特許文献２に記載のものは単なる部品でしかない。また、これらの手段を具備しているのであれば、前述の張架手段は大画面表示が可能な大型のものになるので、特許文献２に記載の画像表示装置を携帯することは困難である。また、携帯可能な小型の張架手段を具備しているのであれば、特許文献２に記載の画像表示装置は大画面表示を行うことができない。
【０００８】
本発明は、以上の背景に鑑みなされたものであり、その目的とするところは、可逆性記録媒体を利用した画像の表示が可能で、しかも携帯と大画面表示とを両立させることができる画像表示装置を提供することである。
【課題を解決するための手段】
【０００９】
上記目的を達成するために、請求項１の発明は、画像の記録と消去とを繰り返し行うことが可能なシート状の可逆性記録媒体と、正転及び逆転の両方向に回動可能に保持されながら、自らの表面に巻き付けている該可逆性記録媒体を正転に伴って送り出したり、逆転に伴って巻き戻したりする回動部材と、該回動部材を少なくとも逆転方向に駆動するための表面移動駆動手段と、該可逆性記録媒体の移動する表面に画像を記録する記録手段と、該可逆性記録媒体の移動する表面の記録済みの画像を消去する消去手段と、該回動部材、表面移動駆動手段、記録手段及び消去手段を内包する筺体とを備える画像表示装置において、上記可逆性記録媒体の送り出し部分の送り出し方向における単位時間あたりの移動量を上記記録手段による記録処理位置あるいはこれよりも移動方向上流側で調整する移動量調整手段を上記筺体内に設けるとともに、記録処理後の該送り出し部分を出し入れするための開口を該筺体に設け、該開口を経由して外部に露出している該送り出し部分におもり部材を固定したことを特徴とするものである。
また、請求項２の発明は、請求項１の画像表示装置において、上記筺体とは別体になっている支持体を設け、互いに係合可能な係合部と被係合部とのうち、該被係合部を該支持体に設け、且つ、該係合部を該筺体に設けたことを特徴とするものである。
また、請求項３の発明は、画像の記録と消去とを繰り返し行うことが可能なシート状の可逆性記録媒体と、正転及び逆転の両方向に回動可能に保持されながら、自らの表面に巻き付けている該可逆性記録媒体を正転に伴って送り出したり、逆転に伴って巻き戻したりする回動部材と、該回動部材を少なくとも逆転方向に駆動するための表面移動駆動手段と、該可逆性記録媒体の移動する表面に画像を記録する記録手段と、該可逆性記録媒体の移動する表面の記録済みの画像を消去する消去手段と、該回動部材、表面移動駆動手段、記録手段及び消去手段を内包する筺体とを備える画像表示装置において、上記可逆性記録媒体の送り出し部分の送り出し方向における単位時間あたりの移動量を上記記録手段による記録処理位置あるいはこれよりも移動方向上流側で調整する移動量調整手段を上記筺体内に設けるとともに、記録処理後の該送り出し部分を出し入れするための開口を該筺体に設け、該開口を経由して外部に露出している該送り出し部分に、該筺体とは別体になっている支持体に固定するための固定部材を取り付けたことを特徴とするものである。
また、請求項４の発明は、請求項３の画像表示装置において、互いに係合可能な係合部と被係合部とのうち、該被係合部を上記支持体に設けるとともに、係合部を上記固定部材に設けたことを特徴とするものである。
また、請求項５の発明は、請求項１乃至４の何れかの画像表示装置において、上記表面移動駆動手段、記録手段及び消去手段を制御する制御手段を上記筺体内に設けたことを特徴とするものである。
また、請求項６の発明は、請求項１乃至５の何れかの画像表示装置において、上記移動量調整手段として、表面を無端移動させる表面無端移動体と、該表面を無端移動せしめるための表面移動駆動手段と、該表面無端移動体を上記可逆性記録媒体に圧接せしめる圧接手段と、該表面移動駆動手段を制御する駆動制御手段とを具備するものを用いたことを特徴とするものである。
また、請求項７の発明は、請求項１乃至５の何れかの画像表示装置において、上記移動量調整手段として、表面の無端移動が可能になるように保持される表面無端移動体と、該無端移動体を上記可逆性記録媒体に圧接せしめる圧接手段と、該可逆性記録媒体の動きに追従して表面移動しようとする該無端移動体の追従量を調整する追従量調整手段とを具備するものを用いたことを特徴とするものである。
また、請求項８の発明は、請求項５の画像表示装置において、上記回動部材を逆転させながら上記消去手段による画像の消去を行う制御を実施するように、上記制御手段を構成したことを特徴とするものである。
また、請求項９の発明は、請求項５の何れかの画像表示装置において、上記回動部材を正転させながら上記消去手段による画像の消去を行う制御を実施するように、上記制御手段を構成したことを特徴とするものである。
また、請求項１０の発明は、請求項１乃至９の何れかの画像表示装置において、上記筺体内又は固定部材に電源回路を設けたことを特徴とするものである。
また、請求項１１の発明は、請求項２又は４の画像表示装置において、上記支持体に電源回路を設けるとともに、電気接点として機能する接点部材を上記係合部及び上記被係合部にそれぞれ設け、該係合部と該被係合部との係合に伴ってそれら接点部材を接触させるようにしたことを特徴とするものである。
また、請求項１２の発明は、請求項１乃至１１の何れかの画像表示装置において、正転及び逆転の両方向に回動可能に保持されながら、正転に伴って上記可逆性記録媒体の上記送り出し部分を自らの表面に巻き付けたり、逆転に伴って該送り出し部分を送り返したりする第２の回動部材と、該第２の回動部材を少なくとも正転方向に駆動するための第２の表面移動駆動手段とを、上記おもり部材又は固定部材に設けたことを特徴とするものである。
また、請求項１３の発明は、請求項３、４又は１２の画像表示装置において、上記可逆性記録媒体として、その長手方向に沿って延在するように配設された導電部材を有するものを用いるとともに、該可逆性記録媒体の該導電部材に接触する接点部材を、上記筺体と、上記おもり部材又は固定部材とに設けたことを特徴とするものである。
また、請求項１４の発明は、請求項５の画像表示装置において、情報通信を行うための通信手段を上記筺体内又は固定部材に設けたことを特徴とするものである。
また、請求項１５の発明は、請求項２又は４の画像表示装置において、情報通信を行うための通信手段を上記支持体に設けるとともに、電気接点として機能する接点部材を上記係合部及び上記被係合部にそれぞれ設け、該係合部と該被係合部との係合に伴ってそれら接点部材を接触させるようにしたことを特徴とするものである。
また、請求項１６の発明は、請求項１５の画像表示装置において、上記表面移動駆動手段、記録手段及び消去手段を制御する制御手段を上記支持体に設けたことを特徴とするものである。
また、請求項１７の発明は、請求項１５又は１６の画像表示装置において、上記係合部及び被係合部の組合せをそれぞれ複数設けるとともに、それら被係合部の上記接点部材をそれぞれ個別に上記通信手段又は制御手段に接続したことを特徴とするものである。
また、請求項１８の発明は、請求項１乃至１７の何れかの画像表示装置において、外部から入力される個人識別情報を受け付ける識別情報受付手段を設けたことを特徴とするものである。
また、請求項１９の発明は、請求項１乃至１８の何れかの画像表示装置において、外部から入力される表示内容選択情報を受け付ける選択情報受付手段を設けたことを特徴とするものである。
また、請求項２０の発明は、請求項１乃至１９の何れかの画像表示装置において、外部から入力される表示内容更新時期情報を受け付ける更新時期情報受付手段を設けたことを特徴とするものである。
また、請求項２１の発明は、請求項１乃至２０の何れかの画像表示装置において、上記筐体として、上記記録手段の記録処理部を内包している部分と、上記回動部材を内包している部分とを分離可能にしたものを用いたことを特徴とするものである。
【発明の効果】
【００１０】
これらの発明において、請求項１の発明特定事項の全てを備えるものでは、筺体内から開口を通じて外部に出ている可逆性記録媒体の送り出し部分を宙にぶら下げた状態で、筺体を壁や天井などに固定することで、次のことが可能になる。即ち、この状態で、回動部材から送り出される可逆性記録媒体の送り出し部分の単位時間あたりにおける移動量を移動量調整手段で調整しながら、記録手段による記録処理位置に送り込んでいけば、送り出し部分に画像を正常に記録することができる。画像が記録された送り出し部分は、記録動作の進行に伴って筺体内から開口を通じて筺体外に至る。筺体外では、送り出し部分の先端におもり部材が固定されているため、送り出し部分がおもり部材の荷重によって重力方向に引っ張られる。これにより、筺体の開口から外に出ている送り出し部分が重力方向に真っ直ぐに張られて、画像を表示する画面として機能する。記録動作の進行に伴い、送り出し部分の開口からの延出量が徐々に増加していっても、おもり部材が床に着地するまでは、送り出し部分が真っ直ぐに張られて画面として機能し続ける。これにより、大画面表示を行うことができる。張架手段を用いることなく可逆性記録媒体を真っ直ぐに張って画面として機能させ、且つその画面を筺体外に形成するので、筺体として携帯可能な小型のものを用いることができる。可逆性記録媒体を巻き戻していく過程で消去部を作動させれば、画像を消去することもできる。消去部を記録部よりも媒体移動方向上流側に設けている場合には、可逆性記録媒体の送り出しに伴って画像の消去と記録とを順次行うようにすることも可能である。以上の結果、可逆性記録媒体を利用した画像の表示が可能で、しかも携帯と大画面表示とを両立させることができる。
【００１１】
また、請求項２の発明特定事項の全てを備えるものでは、可逆性記録媒体の送り出し部分の先端側に取り付けられた固定部材を天井や壁などの支持体に固定し、可逆性記録媒体の後端側を内包している筺体を宙にぶら下げることで、次のことが可能になる。即ち、この状態で、回動部材から送り出される可逆性記録媒体の送り出し部分の単位時間あたりにおける移動量を移動量調整手段で調整しながら、記録手段による記録処理位置に送り込んでいけば、送り出し部分に画像を正常に記録することができる。画像が記録された送り出し部分は、記録動作の進行に伴って筺体内から開口を通じて筺体外に至る。筺体外では、送り出し部分の先端側が支持体に固定されており、その下で筺体が宙にぶら下がった格好になっているため、送り出し部分が筺体やこれに内包される各種部材の荷重によって重力方向に引っ張られる。これにより、筺体の開口から外に出ている送り出し部分が重力方向に真っ直ぐに張られて、画像を表示する画面として機能する。記録動作の進行に伴い、送り出し部分の開口からの延出量が徐々に増加していっても、筺体が床に着地するまでは、送り出し部分が真っ直ぐに張られて画面として機能し続ける。これにより、大画面表示を行うことができる。張架手段を用いることなく可逆性記録媒体を真っ直ぐに張って画面として機能させ、且つその画面を筺体外に形成するので、筺体として携帯可能な小型のものを用いることができる。請求項１と同様にして、画像の消去を行うこともできる。以上の結果、可逆性記録媒体を利用した画像の表示が可能で、しかも携帯と大画面表示とを両立させることができる。
【発明を実施するための最良の形態】
【００１２】
以下、本発明を適用した画像表示装置の第１実施形態について説明する。
図１（ａ）は、第１実施形態に係る画像表示装置を正面側から示す模式図である。また、図１（ｂ）は画像表示装置を側方から示す概略構成図である。この画像表示装置は、可逆性感熱シート１、回動リール２、消去部３、記録部６、おもり部材９、第１モータ１０、第２モータ１１、制御回路１２、記録駆動回路１４、消去駆動回路１５、電源回路１６、筺体２０などを有している。
【００１３】
シート状の可逆性記録媒体たる可逆性感熱シート１は、その後端側が回動リール２の軸芯に巻き付けられているとともに、先端側が回動リール２の軸心から送り出されている。図２に示すように、裏面側からおもて面側（記録面側）に向けて、基材層１ｃ、可逆性記録層１ｂ、保護層１ａなどが順次積層された多層構造になっている。可逆性記録層１ｂは周知の組成により、比較的高い記録温度（例えば１７０℃）まで加熱されると黒色に発色して画像を構成する一方で、比較的低い消去温度（例えば１４０℃）まで加熱されると白色に戻って画像を消去させる。
【００１４】
先に示した図１において、回動部材たる回動リール２は、その軸心の両端部がそれぞれ図示しない軸受けによって回動自在に保持されており、軸心の一端部には図示しないギヤが固定されている。このギヤは、ワンウエイクラッチや、他の複数のギヤなどからなる図示しない駆動伝達機構を介して、第２モータ１１のモータ軸に連結されている。また、このワンウエイクラッチは、第２モータ１１から伝達されてくる逆転方向の回転駆動力を回動リール２に伝達するためのもので、回動リール２が独自に正転方向（図中反時計回り方向）に回転するときには、その回転駆動力を第２モータ１１には伝達しないで、回動リール２を空転させることができる。
【００１５】
回動リール２の図中下方に配設された消去手段たる消去部３は、消去用加熱ローラ４と、消去バックアップローラ５とを有しており、両ローラを互いに圧接させて消去ニップを形成している。消去用加熱ローラ４は、金属製の中空ローラ部の内側にハロゲンランプ等の低温発熱体４ａを有している。また、消去バックアップローラ５は、ゴムや樹脂等の弾性材料からなる弾性表面層で被覆されている。画像の消去処理が行われるときには、消去加熱ローラ４の低温発熱体４ａの発熱による表面温度（消去用加熱温度）が、消去駆動回路１５による発熱体４ａへの電源のオンオフ制御によって制御される。消去部３に対して消去処理実行の命令を出すのは、後述する制御回路１２である。
【００１６】
消去部３の図中下方には、記録手段たる記録部６が配設されている。この記録部６は、サーマルヘッド７と記録バックアップローラ８とを有しており、両者を互いに圧接せしめて記録ニップを形成している。サーマルヘッド７は、周知の技術によってドット単位で加熱のオンオフが行えるものである。また、記録バックアップローラ８は、ゴムや樹脂等の弾性材料からなる弾性表面層で被覆されている。サーマルヘッド７におけるドット単位の加熱のオンオフについては、記録駆動回路１４によって制御される。
【００１７】
消去バックアップローラ５や記録バックアップローラ８は、それぞれ図示しない駆動伝達機構を介して第１モータ１０に連結されており、これの回転駆動によって互いに等しい線速で正転方向（図中反時計回り方向）回転する。第１モータ１０に連結された駆動伝達機構も、ワンウエイクラッチを有しており、これは消去バックアップローラ５や記録バックアップローラ８の逆転方向（図中時計回り方向）の空回りを許容する。
【００１８】
電源回路１６は、外部からの電源の供給を受けた後、必要に応じて電圧変換した後、制御回路１２、記録駆動回路１４、消去駆動回路１５などに供給する。
【００１９】
筺体２０は、後述するおもり部材９以外の各種部材を筺体２０内に内包している。そして、図３に示すように、専用の支持体たる支持板３０を介して、室内の壁１００に固定されている。筺体２０の底板には、図紙面に直交する方向に延在する開口２０ａが形成されている。
【００２０】
可逆性感熱シート１の先端側は、回動リール２の軸芯には巻き付けられていない送り出し部分になっており、消去部３の消去ニップと、記録部６の記録ニップと、筺体２０の開口２０ａとに順次通されて、筺体２０の外に出ている。そして、筺体２０の外部では、可逆性感熱シート１の先端部に、金属や樹脂等からなるおもり部材９が固定されており、可逆性感熱シート１の送り出し部分が筺体２０の下でぶら下がっている。この状態では、おもり部材９の加重により、可逆性感熱シート１の送り出し部分を筺体２０内から引き出そうとする力が働く。但し、画像表示装置が停止状態にあるときには、送り出し部分を挟み込んでいるバックアップローラの各種ギヤや第１モータ１０の抵抗がおもり部材９の加重に打ち勝ってパックアップローラの空転を阻止する。このため、送り出し部分の引き出しが阻止される。
【００２１】
図４は、本画像表示装置の記録動作及び消去動作を説明するためのタイミングチャートである。可逆性感熱シート１は、画像が記録された状態で回動リール２に巻き取られている。制御回路１２が外部の図示しないパーソナルコンピュータ等から送られてくる画像情報を受信すると、記録駆動回路１４の駆動開始信号を送って、第１モータ１０の駆動を開始させる。すると、消去バックアップローラ５、記録バックアップローラ８がそれぞれ等しい線速で回転を開始して、消去ニップ、記録ニップでそれぞれ可逆性感熱シート１を下方に向けて送り出し始める（図４のローラ駆動）。その後、消去駆動回路１５に駆動開始命令信号を送って、消去用加熱ローラ４を発熱させ始める（図４の消去駆動）。
【００２２】
消去バックアップローラ５や記録バックアップローラ８は、互いに等しい線速で回転することで、線速と同じ速度で可逆性感熱シート１の送り出し部分を更に下方に送り出していくことになる。よって、本画像表示装置では、これらバックアップローラ、これらに連結された駆動伝達機構、第１モータ１０、記録駆動回路１４などの組合せが、可逆性感熱シート１の送り出し部分の単位時間あたりにおける移動量を調整する移動量調整手段として機能している。このようにして、送り出し部分の移動量を調整することで、送り出し部分を一定速度で記録ニップに順次進入させて、画像を正常に記録することが可能になる。
【００２３】
記録駆動回路１４は、可逆性感熱シート１を一定速度で記録ニップに進入させながら、制御回路１２から送られてくる画像情報に基づいてサーマルヘッド７におけるドット単位の加熱のオンオフを制御する（図４のヘッド駆動）。これにより、記録ニップ内において、可逆性感熱シート１に画像が記録されていく。
【００２４】
画像が記録された送り出し部分は、ローラ駆動に伴って下方に向けて順次移動していき、やがて筺体２０内から開口２０ａを通じて筺体２０外に至る。筺体２０外では、送り出し部分の先端におもり部材９が固定されているため、送り出し部分がおもり部材９の荷重によって重力方向に引っ張られる。これにより、筺体２０の開口２０ａから外に出ている送り出し部分が重力方向に真っ直ぐに張られて、画像を表示する画面として機能する。
【００２５】
筺体２０外において、記録動作に進行に伴って送り出し部分の開口２０ａからの延出量が徐々に増加していっても、おもり部材９が床に着地するまでは、送り出し部分が真っ直ぐに張られて画面として機能し続ける。これにより、大画面表示を行うことができる。
【００２６】
かかる構成では、可逆性感熱シート１を複数の張架部材によって張架する張架手段を筺体２０内に配設しなくても、可逆性感熱シート１を筺体２０外で真っ直ぐに張って画面として機能させるので、筺体２０として図示のように携帯可能な小型のものを用いることができる。
【００２７】
画像の記録が終了すると、図４に示すように、上述の消去駆動、ヘッド駆動、ローラ駆動が順次停止して、筺体２０内からの可逆性感熱シート１の延出が停止する。
【００２８】
図５は、本画像表示装置を背面側から示す斜視図である。同図において、筺体２０の背面における長手方向（シート幅方向）の両端部にはそれぞれ、係合部たる引っ掛け爪２０ｂが突設せしめられている。
【００２９】
図６は、支持体たる支持板３０を正面側から示す斜視図である。この支持板３０は、上述したように、室内の壁に固定されるものである。支持板３０の前面には、互いにシート幅方向に所定の距離をおいて並ぶ２つの係合開口３０ａからなる開口対が、シート長手方向に沿って複数段設けられている。
【００３０】
先に図５に示した筺体２０を、図６に示す支持板３０にセットする際には、次のような作業を行う。即ち、筺体２０の背面と、支持板３０の前面とを重ね合わせて、筺体２０の２つの引っ掛け爪２０ｂを多段に配設された上記開口対の何れか１つに挿入する。そして、図７に示すように、引っ掛け爪２０ｂを係合開口３０ａの底壁に引っ掛ける。これにより、引っ掛け爪２０ｂと係合開口３０ａとを係合せしめることで、筺体２０を支持板３０に固定することができる。
【００３１】
図８に示すように、筺体２０は、前面側部分２０ｃと、背面側部分２０ｄとで２分できるようになっている。筺体２０の上面には、シート幅方向に延在する回動軸２０が設けられており、これを中心にして前面側部分２０ｃが回動することで、背面側部分２０ｄから開いたり、背面側部分２０ｄに合わさったりする。前面側部分２０ｃは、消去用加熱ローラ４や、記録処理部たるサーマルヘッド７を保持しており、自らが開くことでこれらを背面側部分２０ｄから引き離す。一方、背面側部分２０ｄは、２つのバックアップローラ（５，８）、回動リール２、モータ（１０，２０）、各種回路基板などを保持している。前面側部分２０ｃを開くと、背面側部分２０ｄ内の回動リール２が外部に露出する。この状態で回動リール２を図中矢印のように引き出すことで、回動リール２を容易に取り出すことができる。かかる構成では、筺体２０に対して回動リール２を容易に着脱することができるため、可逆性感熱シート１の回収や交換を容易に行うことができる。
【００３２】
前面側部分２０ｃの側面には、揺動レバー２０ｆが設けられている。また、背面側部分２０ｄの側面には、固定ピン２０ｇが突設せしめられている。前面側部分２０ｃを閉じたら、図９に示すように、この揺動レバー２０ｆの先端部を背面側部分２０ｄの固定ピン２０ｇに引っ掛ける。これにより、背面側部分２０ｄ内の２つのバックアップローラ（５，８）を、可逆性感熱シート１の裏面に十分に圧接せしめ得る位置で、前面側部分２０ｃを係止することができる。
【００３３】
図１０（ａ）は、実施形態に係る画像表示装置の第１変形例装置を正面側から示す模式図である。また、図１０（ｂ）は、第１変形例装置を側方から示す概略構成図である。この第１変形例装置では、各種回路基板を筺体２０から分離しており、筺体２０内の各種モータ、消去用加熱ローラ４及びサーマルヘッド７を外部からコントロールするようになっている。
【００３４】
図１１は、第１実施形態に係る画像表示装置の第２変形例装置を正面側から示す斜視図である。同図において、筺体２０の上面における長手方向の両端部にはそれぞれ、係合部たる引っ掛け爪２０ｂが突設せしめられている。この引っ掛け爪２０ｂは、上端部が筺体２０の前面側に向けて折り曲がっている。
【００３５】
引っ掛け爪２０ｂの背面側には、鉛直方向にスライド移動可能な係止部材２０ｅが配設されており、そのスライド移動によって筺体２０内に収容されたり、筺体２０の上面から突出したりする。但し、図示しないバネによって突出方向に付勢されているため、通常は図示のように筺体２０の上面から突出して、引っ掛け爪２０ｂの真後ろに位置する。
【００３６】
図１２は、支持体たる支持板３０を下面側から示す斜視図である。この支持板３０は、その下面を鉛直方向下方に向けながら（図示の状態と上下反対の姿勢）、水平方向に延在する姿勢で室内の天井に固定されるものである。支持板３０の前面には、互いにシート幅方向に所定の距離をおいて並ぶ２つの係合開口３０ａからなる開口対が、水平方向に沿って複数列設けられている。
【００３７】
先に図１１に示した筺体２０を、図１２に示す支持板３０にセットする際には、次のような作業を行う。即ち、筺体２０の上面と、支持板３０の下面とを重ね合わせて、筺体２０の２つの引っ掛け爪２０ｂを多列に配設された上記開口対の何れか１つに挿入する（図１３）。このとき、図１４に示すように、係合開口３０ａの開口サイズは、引っ掛け爪２０ｂの先端の折り曲げ部の平面サイズよりもほんの少しだけ大きいだけでなので、引っ掛け爪２０ｂの隣にある係止部材２０ｅが係合開口３０ａ内に入らずに、支持板３０に突き当たる。この状態で筺体２０を天井に向けて押していくと、引っ掛け爪２０ｂが係合開口３０ａ内に挿入されながら、係止部材２０ｅが筺体２０内に押し込まれていく。更に筺体２０を天井に向けて押すと、やがて、引っ掛け爪２０ｂの先端の折り曲げ部が係合開口３０ａを通過して、引っ掛け爪２０ｂの根元側の非折り曲げ部分が係合開口３０ａ内に進入する。この状態では、引っ掛け爪２０ｂの非折り曲げ部分と、係合開口３０ａの内壁とに大きなクリアランスが形成されるため、筺体２０を前後方向に遊動させることが可能になる。筺体２０を前方向に遊動させると、それまで支持板３０に突き当たりながら筺体２０内に収容されていた係止部材２０ｅが、係合開口３０ａにおける前述のクリアランスの部分に対面して支持板３０に突き当たらなくなる。そして、バネ２０ｊの付勢力によって筺体２０内から伸び出すことで、図１５に示すように、クリアランス内に進入する。この状態では、係合開口３０ａ内のクリアランスが殆どなくなるため、筺体２０の前後方向の遊動が阻止される。これにより、引っ掛け爪２０ｂが係合開口３０ａから抜け落ちてしまうことによる筺体２０の落下が防止される。
【００３８】
一方、支持板３０から筺体２０を取り外すときには、次のような作業を行う。即ち、係止部材２０ｅには、図示しない把手が設けられており、作業者はこの把手を下方に押下することで、係止部材２０ｅを筺体２０内に引っ込めることができる。把手の押下によって係止部材２０ｅが筺体２０内に引っ込むと、図１６に示すように、係合開口３０ａ内に大きなクリアランスが形成されて、筺体２０の前後方向の遊動が可能になる。筺体２０を後方向に遊動させると、引っ掛け爪２０ｂの先端の折り曲げ部を係合開口３０ａに通すことが可能になる。この状態で筺体２０を下方に向けて引っ張ることで、支持板３０から取り外すことができる。
【００３９】
引っ掛け爪２０ｂを筺体２０に設けるとともに係合開口３０ａを支持板３０に設けた例について説明したが、この逆に、引っ掛け爪を支持板に設けるとともに係合開口を筺体に設けてもよい。また、ねじ止め、接着、テープ止め等の一般的な固定方法で固定してもよい。
【００４０】
図１７は、第１実施形態に係る画像表示装置の第３変形例装置における記録動作及び消去動作を説明するためのタイミングチャートである。この第３変形例装置の機械的構成は、先に図１（ａ）や図１（ｂ）に示した第１実施形態のものと同様である。第１実施形態に係る画像表示装置と異なる点は、記録動作や消去動作にある。
【００４１】
図１７に示すように、回動リール（２）から可逆性感熱シート（１）を送り出す際には、消去駆動とヘッド駆動とのうち、ヘッド駆動だけを行う。つまり、画像の消去は行わない。そして、画像の消去（消去駆動）については、可逆性感熱シート（１）の送り出し部分を回動リール（２）に巻き戻す際に行う。
【００４２】
かかる構成では、画像の記録と消去とを完全に別々のタイミングで行うことで、記録速度と消去速度とをそれぞれ最適な値に個別に設定して、良好な記録と良好な消去とを行うことができる。更には、回動リール２に巻き取った可逆性感熱シート１に画像を残すことがないので、情報セキュリティを高めることができる。これに対し、第１実施形態に係る画像表示装置のように、リールからのシートの送り出しの際に、消去部３による画像の消去を行う構成では、回動リール２に巻き取った可逆性感熱シート１に画像を残しておくので、巻き取った可逆性感熱シート１をサーマルヘッド停止状態で回動リール２から送り出すことで、前回記録した画像を再表示することができる。
【００４３】
図１８（ａ）は、第１実施形態に係る画像表示装置の第４変形例装置を正面側から示す模式図である。また、図１８（ｂ）は第４変形例装置を側方から示す概略構成図である。この第４変形例装置では、図示のように、消去部３と記録部６とが一体となっており、消去専用の消去用加熱ローラや消去バックアップローラを有していない。機械構成としては、第１実施形態に係る画像表示装置の記録部とほぼ同様であり、サーマルヘッド７と記録バックアップローラ８とを有している。
【００４４】
サーマルヘッド７には、記録駆動回路１４と消去駆動回路１５との両方が接続されている。そして、サーマルヘッド７は、記録処理を行う箇所よりも媒体移動方向上流側の箇所で可逆性感熱シート１の画像に対する消去処理を行う。つまり、この第３変形例装置では、図１９のタイミングチャートに示すように加熱性感熱シート１に対して消去処理を行いながら記録処理を行う。かかる構成においても、第１実施形態に係る画像表示装置と同様に、回動リール２に巻き取った可逆性感熱シート１に画像を残しておくので、巻き取った可逆性感熱シート１をサーマルヘッド停止状態で回動リール２から送り出すことで、前回記録した画像を再表示することができる。
【００４５】
図２０は、第４変形例装置の更なる変形例である第５変形例装置における記録動作及び消去動作を説明するためのタイミングチャートである。この第５変形例装置の機械的構成は、先に図１８（ａ）や図１８（ｂ）に示した第５変形例装置のものと同様である。第４変形例装置と異なる点は、記録動作や消去動作にある。
【００４６】
図２０に示すように、回動リール（２）から可逆性感熱シート（１）を送り出す際には、消去用のヘッド駆動と記録用のヘッド駆動とのうち、後者だけを行う。つまり、画像の消去は行わない。そして、画像の消去については、可逆性感熱シート（１）の送り出し部分を回動リール（２）に巻き戻す際に行う。
【００４７】
かかる構成においても、第３変形例装置と同様に、記録速度と消去速度とをそれぞれ最適な値に個別に設定して、良好な記録と良好な消去とを行うことができる。更には、回動リール２に巻き取った可逆性感熱シート１に画像を残すことがないので、情報セキュリティを高めることができる。
【００４８】
図２１（ａ）は、第１実施形態に係る画像表示装置の第６変形例装置を正面側から示す模式図である。また、図２１（ｂ）は、第６変形例装置を側方から示す概略構成図である。この第６変形例装置は、筺体２０内に、有線通信回路１７と、入力操作部１８と、読取センサ１９とを有している。
【００４９】
有線通信回路１７は、外部の図示しないコンピューターサーバー（以下、単にサーバーという）と情報通信を行うことが可能である。サーバーから送られてきた情報信号は、有線通信回路１７で受信された後、制御回路１２に送られる。
【００５０】
入力操作部１８は、図示しないテンキーや専用キーなどのボタンを複数有しており、押下されたボタンに対応する信号を制御回路１２に送る。そして、専用キーとして、表示内容選択キー群を具備しており、これは例えば「メール」、「総務部からのお知らせ」、「業務連絡」などといった複数種類の表示内容選択キーからなる。操作者は、これらの表示内容選択キーのうち、何れか１つを選択して押下することで、どの情報を表示させたいのかを入力することができる。
【００５１】
また、入力操作部１８は、専用キーとして、表示内容交信時期設定キー群も具備しており、これは例えば「１０分」、「３０分」「１時間」などといった複数種類の交信時期設定キーからなる。操作者は、これらの交信時期設定キーのうち、何れか１つを選択して押下することで、第６変形例装置に表示されている情報の内容を所定のタイミングで自動更新させることができる。
【００５２】
よって、入力操作部１８は、外部から入力される表示内容選択情報を受け付ける選択情報受付手段や、外部から入力される表示内容更新時期情報を受け付ける更新時期情報受付手段として機能している。
【００５３】
読取センサ１９は、周知の技術によって人間の指紋を読み取って、読取信号として制御回路１２に出力する。オフィスの中では、画像表示装置に表示する情報に、個人情報、特定の個人だけに知らせる必要がある情報、企業秘密情報などが含まれていることがある。これらの情報を無作為に表示してしまうと、守秘義務のない人に情報が漏洩してしまう。そこで、本第６変形例装置においては、個人識別情報たる指紋情報を読み取りによって受け付ける識別情報受付手段としての読取センサ１９を設けている。
【００５４】
図２２は、第６変形例装置とサーバーとの間の情報交信の流れを示すブロック図である。サーバー１００には、複数の第６変形例装置が接続されており、これら第６変形例装置には、それぞれ固有の装置ＩＤが付されている。そして、各第６変形例装置の制御回路１２は、その固有の装置ＩＤをＲＯＭ等の記憶手段に記憶している。
【００５５】
読取センサ１９によって読み取られた指紋情報は、制御回路１２に送られる。制御回路１２は、送られてきた指紋情報を、上述の装置ＩＤとともに、有線通信手段１７を介してサーバー１００に送る。
【００５６】
入力操作部１８は、上述した表示内容選択キー群のうちの何れか１つが操作者によって押下されると、それに対応する表示内容選択情報を制御回路１２に出力する。そして、この表示内容選択情報は装置ＩＤとともに、制御回路１２から有線通信回路１７を介してサーバー１００に送られる。
【００５７】
また、入力操作部１８は、上述した表示内容交信時期設定キー群のうちの何れか１つが操作者によって押下されると、それに対応する表示内容更新時期情報を制御回路１２に出力する。そして、この表示内容更新時期情報は装置ＩＤとともに、制御回路１２から有線通信回路１７を介してサーバー１００に送られる。
【００５８】
サーバー１００は、装置各個人の指紋情報と、これに対応する個人ＩＤと、これに対応する個人に知らせるべき情報である複数の個人別報告情報（メール情報、総務部からのお知らせ、業務連絡）とを関連付けた第１データベースをハードディスク（ＨＤ）１０１に記憶している。また、装置ＩＤと、後述する装置稼働情報と、操作者情報と、表示内容選択情報と、表示内容更新時期情報とを関連付けた第２データベースも記憶している。
【００５９】
複数の第６変形例装置の制御回路１２はそれぞれ、図示しない電源スイッチが投入されると、稼働ＯＮ情報を装置ＩＤとともにサーバー１００に出力する。これら情報を受信したサーバー１００は、第２データベース内におけるその装置ＩＤに対応する装置稼働情報を「非稼働」から「稼働中」に更新する。
【００６０】
また、複数の第６変形例装置の制御回路１２はそれぞれ、図示しない電源スイッチが切られると（切られても制御回路１２には電源が供給され続ける）、稼働ＯＦＦ情報を装置ＩＤとともにサーバー１００に出力する。これら情報を受信したサーバー１００は、第２データベース内におけるその装置ＩＤに対応する装置稼働情報を「稼働中」から「非稼働」に更新する。
【００６１】
サーバー１００は、何れかの第６変形例装置から指紋情報及び装置ＩＤが送られてくると、第１データベースからその指紋情報に対応する個人ＩＤを特定し、第２データベースにおけるその装置ＩＤに対応する操作者情報を、特定結果の個人ＩＤに更新する。この更新により、どの装置ＩＤの第６変形例装置が、どの個人によって使用されているのかが把握される。
【００６２】
また、サーバー１００は、何れかの第６変形例装置から表示内容選択情報及び装置ＩＤが送られてくると、第２データベース内におけるその装置ＩＤに対応する表示内容選択情報を、送られてきた値に更新する。
【００６３】
また、サーバー１００は、何れかの第６変形例装置から表示内容更新時期情報及び装置ＩＤが送られてくると、第２データベース内におけるその装置ＩＤに対応する表示内容更新時期情報を、送られてきた値に更新する。
【００６４】
また、サーバー１００は、第２データベースの情報に基づいて、それぞれの第６変形例装置に対する情報送信の必要性を定期的に判定するようになっている。具体的には、第２データベース内の装置稼働情報が「稼働中」になっている第６変形例装置について、表示内容更新時期情報に基づいて更新すべき時期であるか否かを判定する。そして、更新すべきと判定した場合には、表示内容選択情報と操作者情報（個人ＩＤ）とを第２データベースから特定し、それらに対応する個人別報告情報だけを抽出して（同時に第２データベースから削除）、その第６変形例装置に送信する。
【００６５】
サーバー１００から送られてきた個人別報告情報を受信した第６変形例装置は、それを画像として可逆性感熱シートに記録しながら表示する。
【００６６】
なお、個人識別情報として指紋情報を受け付ける例について説明したが、他の個人識別情報を受け付けるようにしてもよい。例えば、個人カードに記録されている個人ＩＤをカードリーダーによって受け付けるようにしてもよい。また、個人が所有しているＲＦ−ＩＤ（Ｒａｄｉｏ  Ｆｒｅｑｕｅｎｃｙ  Ｉｄｅｎｔｉｆｉｃａｔｉｏｎ）タグをＲＦ−ＩＤリーダーによって読み取って受け付けるようにしてもよい。また、いわゆる脈波認証を採用してもよい。
【００６７】
図２３は、第６変形例装置の更なる変形例である第７変形例装置を正面側から示す模式図である。この第７変形例装置は、有線通信回路に代えて、無線通信回路２１を有しており、サーバー１００と無線通信を行う点が第６変形例装置と異なっている。
【００６８】
図２４は、第６変形例装置の更なる変形例である第８変形例装置の支持板３０を正面側から示す斜視図である。この第８変形例装置は、電源回路や有線通信回路を筐体内に有していない代わりに、支持体３０内に有している。そして、図２５に示すように、筐体２０の背面に設けられた引っ掛け爪２０ｂの下側に、導電性材料からなる接点部材２０ｋが固定されている。図では１つの接点部材２０ｋしか示されていないが、実際には、１つの引っ掛け爪２０ｂに対して、図紙面に直行する方向に複数の接点部材２０ｋが互いに絶縁状態を維持しながら並んでいる。一方、支持板３０の係合開口３０ａの下壁にも、複数の接点部材３０ｋが互いに絶縁状態を維持しながら並んでおり、それぞれ、引っ掛け爪２０ｂにおける複数の接点部材２０ａの何れかに対応している。
【００６９】
支持板３０内に設けられた図示しない有線通信回路は、係合用開口３０ａの下壁に設けられた接点部材３０ｋに接続されている。また、支持板３０内に設けられた図示しない電源回路も、係合用開口３０ａの下壁に設けられた接点部材３０ｋに接続されている。一方、筺体２０の引っ掛け爪２０ｂの下側に設けられた複数の接点部材２０ｋは、それぞれ筺体２０内の図示しない各回路に接続されている。
【００７０】
筺体２０が支持板３０に取り付けられるのに伴って、筺体２０の引っ掛け爪２０ｂが支持板３０の係合開口３０ａに係合すると、引っ掛け爪２０ｂの下側に固定された複数の接点部材２０ｋと、係合開口３０ａの下壁に設けられた複数の接点部材３０ｋとが圧接して両者が導通する。これにより、支持板３０内の図示しない有線通信回路や電源回路が、筐体２０内の図示しない各種回路や機器とが、電線や接点部材３０ｋ，２０ｋを介して接続される。
【００７１】
かかる構成では、筐体２０内に有線通信回路や電源回路を設けないことで、筐体２０（画像表示装置）の小型化を図ることができる。更には、筐体２０へのコードの接続を不要にして、操作性や携帯性を向上させることもできる。
【００７２】
なお、図２４に示したように、支持板３０の前面においては、シート幅方向に並ぶ２つの係合開口３０ａからなる開口対が、上下方向に５段配設されているが、何れの開口対においても、接点部材（３０ｋ）が設けられている。開口対における図中左側の係合開口３０ａには電源回路用の接点部材が設けられており、図中右側の係合開口３０ａには有線通信回路用の接点部材が設けられている。それぞれの開口対における接点部材と電源回路や有線通信回路とを接続する電線パターンは同じである。
【００７３】
また、有線通信回路と電源回路とを支持板３０に設けた例について説明したが、何れか一方だけを設けてもよい。例えば、支持板３０に電源回路だけを設けても、筐体２０内に配設する通信回路を無線通信回路にすれば、筐体２０へのコードの接続を不要にすることができる。
【００７４】
図２６は、第８変形例装置の更なる変形例である第９変形例装置と、これが設置された室内オフィス環境とを示すイメージ図である。この第９変形例装置では、支持板３０として、立てかけタイプのものを用いている。支持板３０の前面には、水平方向に並ぶ２つの係合開口３０ａからなる開口対が、上下方向だけではなく、左右方向にも並ぶように設けられている。何れの開口対においても、接点部材（３０ｋ）が設けられているが、それぞれの開口対における接点部材と有線通信回路とを接続する電線パターンが、例えば第１開口対であればそれ専用の電線パターンが有線通信回路に独自に接続されるといった具合に、互いに異なっている。
【００７５】
第９変形例装置の筐体２０が支持板３０にセットされると、セットされた開口対における複数の接点部材のうち、何れか２つの間で導通が起こるようになっている。この導通により、有線通信回路は、支持板３０における複数の開口対のうち、どこに筐体２０がセットされているのかを認識する。また、有線通信回路は、複数の開口対と、それらにそれぞれ個別に対応するように予め定められた表示内容選択情報との関係を記憶している。図示しないサーバーから情報が送られてくると、その情報に付されている選択分類ＩＤに基づいて、どの開口対における接点部材に出力するべき情報であるのかを特定する。そして、特定した開口対に筐体２０がセットされている場合には、送られてきた情報をその接点部材に出力する。また、セットされていない場合には、送られてきた情報を記憶回路に記憶し、その開口対に筐体２０がセットされた時点で、記憶しておいた情報をその接点部材に出力する。
【００７６】
かかる構成においては、図示のように、操作者が複数の筐体２０を併用しながら、それぞれを支持板３０における複数の開口対のどれにセットするのかを選択することによって、それぞれに異なる情報を表示させることができる。複数の筐体２０を用いることで、互いに異なる種類の情報を同時に表示させることができる。例えば、支持板３０の図中右上のエリアにある開口対にセットした筐体２０によって総務関連の一般的な情報を表示させながら、左下のエリアにある開口対にセットした筐体２０によってメールを表示させることができる。
【００７７】
また、第９変形例装置では、図示のように、支持板３０をデスク脇の壁面に設置することでデスクスペースを有効活用することができる。更には、複数のユーザーに対して表示すべき内容の情報については、デスクスペースではなく、各員の共有スペースに支持板３０を設ければ、オフィススペースを有効活用することもできる。
【００７８】
先に図８を用いて説明したように、第１実施形態に係る画像表示装置では、筐体２０の前面側部分２０ｃを開いて回動リール２を背面側部分２０ｄ内から取り出すことで、回動リール２を容易に着脱することができる。これにより、可逆性感熱シート１が傷付きなどによって劣化した場合に、それを新たなものと容易に交換することができる。
【００７９】
但し、可逆性感熱シート１を全部交換するのではなく、局所的に劣化したシート箇所だけを取り除けば、その他の箇所を有効に使用してランニングコストを低減することができる。
【００８０】
そこで、第１実施形態に係る画像表示装置の第１０変形例装置では、このような取り除きを可能にする構成が付加されている。図２７は、第１０変形例装置を側方から示す構成図である。この第１０変形例装置は、筺体２０内における開口２０ａの図中右側方に、移動カッター２２を有している。同図では、この移動カッター２２がホームポジションに位置している状態を示しているが、このホームポジションと、開口２０ａの真上との間を往復移動することができる。但し、通常は図示しないバネによって図中左側から右側に向けて付勢されているため、ホームポジションに待避している。
【００８１】
操作者は、可逆性感熱シート１を手動で引き出すか、あるいは送り駆動によって送り出すかして、筺体２０内から延出させていき、取り除きたいシート箇所を外部に露出させる。次に、移動カッター２２に設けられた把手を把持しながら移動カッター２２を左側に向けてスライド移動させて、図２８に示すように、開口２０ａの位置で可逆性感熱シート１を切断する。切断によって得られたシート先端側にはおもり部材９が固定されており、これはシート先端部をクランプ機構によってクランプしている。このクランプ機構を図２９に示すようにして解除することで、おもり部材９をシート先端部から取り外す。次に、図３０に示すように、筺体２０内から可逆性感熱シート１を適当な長さになるまで手動で引き出すか、あるいは送り出し駆動する。そして、図３１に示すように、シート先端部におもり部材９を固定する。
【００８２】
なお、移動カッター２２を設ける代わりに、可逆性感熱シート１にミシン目等を所定のピッチで設けておき、ミシン目等から切断することで、シートの一部を除去するようにしてもよい。
【００８３】
第１実施形態に係る画像表示装置においては、概ね、室内の床面から筺体２０の下面までが画面の最大高さになる。これ以上の高さの画像を出力すると、おもり部材９が床面に着地して、可逆性感熱シート１の送り出し部分が弛んでしまうため、画像を正常に表示することができなくなる。また、先に図２６に示した第９変形例装置では、概ね、机の上面から筺体２０の下面までが画面の最大高さになる。このため、大量の表示が必要な場合には、記録と消去とを繰り返しながら何回かに分けて表示を行う必要がある。
【００８４】
そこで、これから説明する第１１変形例装置においては、大量の表示でも連続して記録を行うことができる構成を付加している。図３２は、第１１変形例装置を側面側から示す構成図である。おもり部材９が中空の箱状になっており、内部に受入ローラ対９ｂ、第２回動リール９ａ、図示しない第２駆動手段などを有している点が第１実施形態に係る画像表示装置と異なっている。また、筺体２０内に超音波センサなどからなる距離センサ２３が設けられている点も、第１実施形態に係る画像表示装置と異なっている。更には、同図ではわからないが、可逆性シート１の構成も、第１実施形態に係る画像表示装置とは異なっている。
【００８５】
筺体２０内から外部に送り出された可逆性感熱シート１は、おもり部材９の上面に設けられた開口を通っておもり部材９内に進入している。そして、互いに当接している２つの受入ローラからなる受入ローラ対９ａのニップを経由して、第２回動リール９ｂに巻き取られている。この第２回動リール９ｂは、図示しない第２駆動手段によって図中反時計回り方向である正転方向に回転駆動されることで、可逆性感熱シート１を巻き付ける。また、図中時計回り方向である逆転方向に回転駆動されることで、可逆性感熱シート１を回動リール２とは逆方向に送り出す。
【００８６】
図示の状態では、おもり部材９を筺体２０に接触させる位置まで可逆性感熱シート１が回動リール２によって巻き取られている。この状態から、記録が開始されると、筺体２０内からの可逆性加熱シート１の延出に伴って、図３３に示すように、おもり部材９が徐々に下降していく。筺体２０内の底部に固定された距離センサ２３は、おもり部材９との距離を検知して、検知結果を制御回路に順次出力する。記録が続けられていくうちに、おもり部材９はやがて図３４に示すように床面の近くまで下降する。そして、距離センサ２３とおもり部材９との距離が所定の上限値に達すると、筺体２０内の制御回路は、後述するフレキシブル導電箔を介して、おもり部材９内の第２駆動手段に電源を供給する。これにより、図示のように、可逆性感熱シート１が第２回動リール９ｂに巻き取られ始めて、おもり部材９の下降が停止する。よって、更に記録を続けても、可逆性感熱シート１の張りを維持することができる。
【００８７】
図３５は、第１１変形例装置を背面側から示す斜視図である。同図において、この第１１変形例装置の可逆性感熱シート１の裏面（記録面とは反対側の面）には、長手方向に沿って延在する導電部材たるフレキシブル導電箔１ｄが、短手方向い複数本並べて形成されている。これらフレキシブル導電箔１ｄは、可逆性感熱シート１の長手方向全域に渡って形成されている。なお、同図で１本に見えるフレキシブル導電箔１ｄは、実際には複数本の集合からなっており、これらは互いに絶縁関係にある。
【００８８】
筺体２０内には、図示しない接点部材が複数個配設されており、それぞれフレキシブル導電箔１ｄに接触せしめられている。そして、これら接点部材は、筺体２０内の図示しない制御回路に接続されている。一方、おもり部材９内にも、図示しない接点部材が複数個配設されており、それぞれフレキシブル導電箔１ｄに接触せしめられている。そして、これら接点部材はおもり部材９内の図示しない第２駆動手段に接続されている。筺体２０内の制御回路から第２駆動手段に向けて出力される駆動電源は、フレキシブル導電箔１ｄを介して第２駆動手段に供給される。かかる構成では、上下方向に移動するおもり部材９にコードを接続することなく、おもり部材９内の駆動手段に電源を供給して、取り扱い性を向上させることができる。
【００８９】
図３６は、第１実施形態に係る画像表示装置の第１２変形例装置における記録バックアップローラ６とその周囲構成とを示す拡大構成図である。第１２変形例装置においては、消去バックアップローラや図示の記録バックアップローラ６を駆動するための第１モータや駆動伝達機構などからなる駆動手段を備えていない。その代わりに、同図に示した調速機２５やストップレバー２７などを有している。また、おもり部材の重量が第１実施形態に係る画像表示装置のものよりも重くなっている。
【００９０】
バックアップローラ６のローラ部の両端面からそれぞれ突出している軸部のうち、図中右側の軸部にはストップギヤ２６が固定されている。そして、このストップギヤ２６には、図３７に示すように、ストップレバー２７の先端突起が噛み合っている。図示しない可逆性感熱シートの先端部に固定されたおもり部材がその自重によってシートを強く引っ張ると、可逆性加熱シートは下方に移動しようとする。そして、図示しないサーマルヘッドとの間にシートを挟み込んでシートに圧接しているバックアップローラ６が、この移動に追従して回転による表面移動を行おうとするが、ストップギヤ２６にストップレバー２７が噛み合っているため、その回転が阻止される。
【００９１】
ストップレバー２７は、回動軸２７ａを中心にして回動可能に支持されており、図示しないソレノイドが駆動すると、図中実線に示す位置から点線に示す位置まで少しだけ回転せしめられる。すると、その先端部をストップギヤ２６の歯車から離間させる。この離間により、バックアップローラ６は可逆性加熱シートの移動に追従して回転し始めて、可逆性加熱シートが図示しない回動リールから送り出され始める。
【００９２】
バックアップローラ６の図中左側の軸部には、調速機２５が軸線方向に連結されている。この調速機２５は、周知の技術により、軸部のトルクにかかわらず、軸部を低速で回転させるものである。かかる調速機２５が軸部に連結されていることで、バックアップローラ６がおもり部材や可逆性感熱シートの延出量にかかわらず、同速に回転して可逆性感熱シートを送り出す。これにより、記録部に対して可逆性感熱シートが等速に送り込まれる。
【００９３】
かかる構成においては、調速機２５、ストップギヤ２６、ストップレバー２７及びソレノイドなどの組合せが、可逆性感熱シートの動きに追従して表面移動しようとするパックアップローラ６の追従量を調整する追従量調整手段として機能している。そして、駆動手段による駆動を利用することなく、おもり部材やシートの荷重だけで、シートを記録部に等速で送り込むことができる。なお、調速機２５等からなる追従量調整手段を、消去バックアップローラに設けてもよい。
【００９４】
次に、本発明を適用した第２実施形態の画像表示装置について説明する。なお、以下に特筆しない限り、第２実施形態に係る画像表示装置の構成は、図２１に示した第６変形例装置と同様である。図３８（ａ）は、第２実施形態に係る画像表示装置を正面側から示す模式図である。また、図３８（ｂ）は同画像表示装置を側方から示す概略構成図である。この画像表示装置は、おもり部材の代わりとして、支持板や壁などの支持体に固定するための固定部材２９が可逆性感熱シート１の先端部に取り付けられている点、及び、筺体２０の開口２０ａを上に向ける姿勢で使用される点が、第６変形例装置と異なっている。また、電源回路６及び有線通信回路１７を、筐体２０内ではなく、固定部材２９内に有している点も、第６変形例装置と異なっている。
【００９５】
筺体２０は、固定部材２９の下方に位置しており、壁などに固定された固定部材２９に吊り下げられる格好になっている。
【００９６】
固定部材２９内の電源回路６と、筺体２０内の各種機器とは、上述した第１１変形例装置と同様に、可逆性感熱シート１の裏面に設けられたフレキシブル導電箔を介して接続されている。また、固定部材２９内の有線通信回路１７と、筐体２０内の制御回路１２とについても、同様に、フレキシブル導電箔を介して接続されている。有線通信回路１７は、図３９に示すように、サーバー１００に接続されている。
【００９７】
固定部材２９の背面には、図示しない支持板の係合開口に係合する引っ掛け爪２９ａが、長手方向の両端部にそれぞれ設けられている。
【００９８】
先に示した図３８において、記録駆動回路１４は、可逆性感熱シート１を一定速度で記録ニップに進入させながら、制御回路１２から送られてくる画像情報に基づいてサーマルヘッド７におけるドット単位の加熱のオンオフを制御する。これにより、記録ニップ内において、可逆性感熱シート１に画像が記録されていく。
【００９９】
画像が記録された送り出し部分は、記録動作の進行に伴って上方に向けて順次移動していき、やがて筺体２０内から開口２０ａを通じて筺体２０外に至る。筺体２０外では、送り出し部分の先端が固定部材２９に固定されており、シートがこれにぶら下がっているので、送り出し部分が筺体２０やこれに内包される各種部材の荷重によって重力方向に引っ張られる。これにより、筺体２０の開口２０ａから外に出ている送り出し部分が重力方向に真っ直ぐに張られて、画像を表示する画面として機能する。
【０１００】
筺体２０外において、記録動作に進行に伴って送り出し部分の開口２０ａからの延出量が徐々に増加していっても、筺体２０が床に着地するまでは、送り出し部分が真っ直ぐに張られて画面として機能し続ける。これにより、大画面表示を行うことができる。
【０１０１】
かかる構成においても、可逆性感熱シート１を複数の張架部材によって張架する張架手段を筺体２０内に配設しなくても、可逆性感熱シート１を筺体２０外で真っ直ぐに張って画面として機能させるので、筺体２０として図示のように携帯可能な小型のものを用いることができる。
【０１０２】
画像表示装置の消去動作は以下のようにして行われる。即ち、操作者が図示しない消去ボタンを押下するなどして制御回路１２が消去開始命令を受け付けると、第２モータ１１を駆動して回動リール２の逆転を開始させる。また、消去駆動回路１５に駆動開始命令信号を送って、消去用加熱ローラ４を発熱させ始める。回動リール２が逆転（逆回転）すると、可逆性感熱シート１の送り出し部分が回動リール２に巻き取られていき、筺体２０が徐々に上昇していく。このとき、消去バックアップローラ５や記録バックアップローラ８はワンウエイクラッチによって逆転方向にスムーズに空転する。そして、筺体２０外に延出している可逆性感熱シート１の送り出し部分が順次筺体２０内に収容されていく。収容されていく送り出し部分は、回動リール２に巻き取られるのに先立って消去ニップを通過する際に、比較的低い消去温度まで加熱されて画像が消去される。
【０１０３】
これまで、シート状の可逆性記録媒体として、可逆性感熱シート１を用いた例について説明したが、シート状であれば、他の可逆性記録媒体を用いてもよい。例えば、特開２００１−３１２２２５号公報に記載されているような、一対の電極基板に挟み込んだ白、黒の帯電トナーを、記録部で何れか一方の電極基板に向けて静電移動させる方式のものを用いてもよい。
【０１０４】
以上、実施形態に係る画像表示装置においては、筺体２０とは別体になっている支持体たる支持板３０を設け、互いに係合可能な引っ掛け爪２０ｂと係合開口３０ａとのうち、被係合部たる係合開口３０ａを支持板３０に設け、且つ、係合部たる引っ掛け爪２０ｂを筺体２０に設けている。かかる構成では、筺体２０を比較的高い位置に容易に固定して、筺体２０の下方に画面領域を確保することができる。更には、机の上に設置スペースを確保することなく、画像表示装置の画面領域を目線程度の高さに形成することもできる。
【０１０５】
また、第２実施形態に係る画像表示装置においては、互いに係合可能な係合部たる引っ掛け爪２９ａと、被係合部たる係合開口とのうち、係合開口を支持板に設けるとともに、引っ掛け爪２９ａを固定部材２９に設けている。かかる構成では、固定部材２９を比較的高い位置に容易に固定して、固定部材２９の下方に画面領域を確保することができる。更には、机の上に設置スペースを確保することなく、画像表示装置の画面領域を目線程度の高さに形成することもできる。
【０１０６】
また、各実施形態や第６変形例装置などにおいては、第２モータ１１や駆動伝達機構等からなる駆動手段、記録手段たる記録部６及び消去手段たる消去部３を制御する、制御回路１２等の各種回路からなる制御手段を筺体２０内に設けている。かかる構成では、外部から筺体２０内に制御信号を送ることなく、記録動作や消去動作を行わせることができる。
【０１０７】
また、第１実施形態に係る画像表示装置や、各変形例装置においては、移動量調整手段として、表面無端移動体たる消去バックアップローラ５や記録バックアップローラ８と、これらの表面を無端移動せしめるための第１モータ１０や駆動伝達機構等からなる表面移動駆動手段と、それらローラを可逆性感熱シート１に圧接せしめる圧接手段たる揺動レバー２０ｆと、表面移動駆動手段を制御する駆動制御手段たる制御回路１２とを具備するものを用いている。かかる構成では、バックアップローラの駆動によって可逆性感熱シート１を記録部６に対して一定速度で送り込んで、画像を正常に記録することができる。
【０１０８】
また、第２実施形態に係る画像表示装置においては、表面の無端移動が可能になるように保持される表面無端移動体たる記録バックアップローラ８と、これを可逆性感熱シート１に圧接せしめる圧接手段たる揺動レバー２０ｆと、可逆性感熱シート１の動きに追従して回転しようとする記録バックアップローラ８の追従量を調整する調速機２５等からなる追従量調整手段とを具備するものを用いている。かかる構成では、駆動手段の駆動力を用いることなく可逆性感熱シート１を記録部６に対して一定速度で送り込んで、画像を正常に記録することができる。
【０１０９】
また、第３変形例装置や第５変形例装置においては、回動部材たる回動リール２を逆転させて可逆性感熱シート１を巻き戻しながら消去部３による画像の消去を行う制御を実施するように、上記制御手段を構成している。かかる構成では、記録速度と消去速度とをそれぞれ最適な値に個別に設定して、良好な記録と良好な消去とを行うことができる。更には、回動リール２に巻き取った可逆性感熱シート１に画像を残すことがないので、情報セキュリティを高めることができる。
【０１１０】
また、第１実施形態に係る画像表示装置や第４変形例装置においては、回動リール２を正転させながら消去部３による画像の消去を行う制御を実施するように、上記制御手段を構成している。かかる構成では、回動リール２に巻き取った可逆性感熱シート１に画像を残しておくので、巻き取った可逆性感熱シート１をサーマルヘッド停止状態で回動リール２から送り出すことで、前回記録した画像を再表示することができる。
【０１１１】
また、第６変形例装置や第２実施形態に係る画像表示装置においては、筺体２０内又は固定部材２９に電源回路１６を設けているので、筺体２０内又は固定部材２９内の各電気機器に電源を供給することができる。
【０１１２】
また、第８変形例装置においては、支持板３０に電源回路を設けるとともに、電気接点として機能する接点部材を引っ掛け爪２０ｂ及び係合開口３０ａにそれぞれ設け、それらの係合に伴ってそれら接点部材を接触させるようにしている。かかる構成では、筺体２０を支持板３０に取り付けるのに伴って筺体２０内に電源を供給できるので、筺体２０（あるいは固定部材）に対する電源コードの接続を不要にして、取り扱い性を向上させることができる。
【０１１３】
また、第１１変形例装置においては、正転及び逆転の両方向に回動可能に保持されながら、正転に伴って可逆性感熱シート１の送り出し部分を自らの表面に巻き付けたり、逆転に伴って送り出し部分を送り返したりする第２の回動部材たる第２回動リール９ｂと、これを少なくとも正転方向に駆動するための第２駆動手段とを、おもり部材９に設けている。かかる構成では、高さ方向の表示可能領域を超える大量の表示でも、連続して記録を行うことができる。なお、第２実施形態に係る画像表示装置の固定部材２９内に、第２回動リールや第２駆動手段を設ければ、同様にして、大量の表示を連続して記録することが可能になる。
【０１１４】
また、第１１変形例装置や第２実施形態に係る画像表示装置においては、可逆性感熱シート１として、その長手方向に沿って延在するように配設された導電部材たるフレキシブル導電箔を有するものを用いるとともに、これに接触する接点部材を、筺体２０と、おもり部材９や固定部材２９とに設けている。かかる構成では、シートの送り出しや巻き戻しに伴って上下移動するおもり部材９や筺体２０に電源コードや制御信号コードを接続することなく電源を供給したり、制御信号を送ったりすることを可能にして、取り扱い性を向上させることができる。また、おもり部材９や固定部材２９の上下移動に伴って電源コードや制御信号コードをそれらに引っ掛けるといったトラブルを回避することもできる。
【０１１５】
また、第６変形例装置や第２実施形態に係る画像表示装置においては、情報通信を行うための有線通信回路１７を筺体２０内や固定部材２９内に設けているので、筺体２０や固定部材２９と、外部との間で情報通信を行うことができる。
【０１１６】
また、第８変形例装置においては、情報通信を行うための通信手段たる有線通信回路を支持板３０に設けるとともに、電気接点として機能する接点部材を引っ掛け爪２０ｂ及び係合開口３０ａにそれぞれ設け、これらの係合に伴って両接点部材を接触させるようにしている。かかる構成では、筺体２０を支持板３０に取り付けるのに伴って筺体２０内に通信信号を供給できるので、取り扱い性を向上させることができる。
【０１１７】
なお、第８変形例装置において、制御回路１２等からなる制御手段も筐体２０に代えて支持板３０に設け、制御手段と筐体２０内との間を、接点部材を介して接続するようにしてもよい。
【０１１８】
また、第９変形例装置においては、引っ掛け爪２０ｂ及び係合開口３０ａの組合せをそれぞれ複数設けるとともに、それら係合開口の接点部材３０ｋをそれぞれ個別に有線通信回路１７に接続している。かかる構成では、図２６に示したように、複数の筐体２０を併用しながら、それぞれを支持板３０における複数の開口対のどれにセットするのかを選択することによって、それぞれに異なる情報を表示させることができる。更には、複数の筐体２０を用いることで、互いに異なる種類の情報を同時に表示させることもできる。
【０１１９】
また、第６変形例装置、第７変形例装置、第８変形例装置、第２実施形態に係る画像表示装置においては、外部から入力される個人識別情報たる指紋情報を受け付ける識別情報受付手段としての読取センサ１９を設けている。かかる構成では、操作者の指紋認証を行って、その操作者に適した情報だけを表示することができる。
【０１２０】
また、第６変形例装置、第７変形例装置、第８変形例装置、第２実施形態に係る画像表示装置においては、外部から入力される表示内容選択情報を受け付ける選択情報受付手段としての入力操作部１８を設けている。かかる構成では、操作者の望む内容の情報だけを選択して表示することができる。
【０１２１】
また、第６変形例装置、第７変形例装置、第８変形例装置、第２実施形態に係る画像表示装置においては、外部から入力される表示内容更新時期情報を受け付ける更新時期情報受付手段としての入力操作部１８を設けている。かかる構成では、操作者の望むタイミングで表示内容を定期的に更新することができる。
【０１２２】
また、これまで説明してきた全ての装置においては、筐体２０として、記録部３の記録処理部たるサーマルヘッド７を内包している前面側部分２０ｃと、回動リール２を内包している背面側部分２０ｄとを分離可能にしたものを用いているので、必要に応じて両部分を分離して回動リール２を露出させることで、可逆性感熱シート１の交換を容易に行うことができる。
【図面の簡単な説明】
【０１２３】
【図１】（ａ）は第１実施形態に係る画像表示装置を正面側から示す模式図であり、（ｂ）は同画像表示装置を側方から示す概略構成図である。
【図２】同画像表示装置の可逆性感熱シートを示す拡大断面図。
【図３】支持板を介して壁に固定した状態の同画像表示装置を示す構成図。
【図４】同画像表示装置の記録動作及び消去動作を説明するためのタイミングチャート。
【図５】同画像表示装置を背面側から示す斜視図。
【図６】同支持板を正面側から示す斜視図。
【図７】同画像表示装置における引っ掛け爪と係合開口との係合の様子を示す拡大断面図。
【図８】同画像表示装置における２分した状態の筐体を示す構成図。
【図９】前面側部分が背面側部分に合わさった状態で係止された同筐体を示す構成図。
【図１０】（ａ）は実施形態に係る画像表示装置の第１変形例装置を正面側から示す模式図であり、（ｂ）は同第１変形例装置を側方から示す概略構成図である。
【図１１】第２変形例装置を正面側から示す斜視図。
【図１２】同第２変形例装置の支持板を下面側から示す斜視図。
【図１３】係合開口とこれに対面している引っ掛け爪とを示す拡大構成図。
【図１４】先端の折り曲げ部が同係合開口内に挿入された状態の同引っ掛け爪を示す拡大構成図。
【図１５】同係合開口内に挿入された同引っ掛け爪の抜けが係止部材によって阻止されている状態を示す拡大構成図。
【図１６】同係止部材を同係合開口内から引き出している状態を示す拡大構成図。
【図１７】第３変形例装置における記録動作及び消去動作を説明するためのタイミングチャート。
【図１８】（ａ）は第４変形例装置を正面側から示す模式図でり、（ｂ）は同第４変形例装置を側方から示す概略構成図。
【図１９】第４変形例装置における記録動作及び消去動作を説明するためのタイミングチャート。
【図２０】第５変形例装置における記録動作及び消去動作を説明するためのタイミングチャート。
【図２１】（ａ）は第６変形例装置を正面側から示す模式図であり、（ｂ）は同第６変形例装置を側方から示す概略構成図。
【図２２】同第６変形例装置とサーバーとの間の情報交信の流れを示すブロック図。
【図２３】第７変形例装置を正面側から示す模式図。
【図２４】第８変形例装置の支持板を正面側から示す斜視図。
【図２５】引っ掛け爪と同支持板の係合開口とを示す拡大構成図。
【図２６】第９変形例装置と、これが設置された室内オフィス環境とを示すイメージ図。
【図２７】第１０変形例装置を側方から示す構成図。
【図２８】可逆性感熱シートを切断した状態の同第１０変形例装置を示す構成図。
【図２９】同第１０変形例装置のおもり部材を示す構成図。
【図３０】同第１０変形例装置の筺体内から可逆性感熱シートを引き出している状態を示す構成図。
【図３１】可逆性加熱シートの先端部におもり部材を取り付けている最中の同第１０変形例装置を示す構成図。
【図３２】第１１変形例装置を側面側から示す構成図。
【図３３】おもり部材を下降させている最中の同第１１変形例装置を示す構成図。
【図３４】おもり部材の第２回動リールによるシートの巻き取りを開始した状態の同第１１変形例装置を示す構成図。
【図３５】同第１１変形例装置を背面側から示す斜視図。
【図３６】第１２変形例装置における記録バックアップローラとその周囲構成とを示す拡大構成図。
【図３７】同第２変形例装置のストップギヤ及びストップレバーを示す拡大側面図。
【図３８】（ａ）は第２実施形態に係る画像表示装置を正面側から示す模式図であり、（ｂ）は同画像表示装置を側方から示す概略構成図。
【図３９】同画像表示装置を背面側から示す斜視図。
【符号の説明】
【０１２４】
１：可逆性感熱シート（シート状の可逆性記録媒体）
１ｄ：フレキシブル導電箔（導電部材）
２：回動リール（回動部材）
３：記録部（記録手段）
４：消去用加熱ローラ
５：消去バックアップローラ（表面無端移動体）
６：記録部（記録手段）
７：サーマルヘッド（記録処理部）
８：記録バックアップローラ（表面無端移動体）
９：おもり部材
９ｂ：第２回動リール（第２の回動部材）
１０：第１モータ（移動量調整手段の一部、表面移動駆動手段の一部）
１１：第２モータ（駆動手段の一部）
１２：制御回路（制御手段の一部、駆動制御手段）
１４：記録駆動回路（移動量調整手段の一部、制御手段の一部）
１５：消去記録駆動回路（移動量調整手段の一部、制御手段の一部）
１６：電源回路
１７：有線通信回路（通信手段）
１８：入力操作部（選択情報受付手段、更新時期情報受付手段）
１９：読取センサ（識別情報受付手段）
２０：筐体
２０ａ：開口
２０ｂ：引っ掛け爪（係合部）
２０ｆ：揺動レバー（圧接手段）
２０ｋ：接点部材
２１：無線通信回路（通信手段）
２５：調速機（追従量調整手段の一部）
２６：ストップギヤ（追従量調整手段の一部）
２７：ストップレバー（追従量調整手段の一部）
２８：接点部材
２９：固定部材
２９ａ：引っ掛け爪（係合部）
３０：支持板（支持体）
３０ａ：係合開口（被係合部）
３０ｋ：接点部材
【図１】
2007249049.tif 000003
【図２】
2007249049.tif 000004
【図３】
2007249049.tif 000005
【図４】
2007249049.tif 000006
【図５】
2007249049.tif 000007
【図６】
2007249049.tif 000008
【図７】
2007249049.tif 000009
【図８】
2007249049.tif 000010
【図９】
2007249049.tif 000011
【図１０】
2007249049.tif 000012
【図１１】
2007249049.tif 000013
【図１２】
2007249049.tif 000014
【図１３】
2007249049.tif 000015
【図１４】
2007249049.tif 000016
【図１５】
2007249049.tif 000017
【図１６】
2007249049.tif 000018
【図１７】
2007249049.tif 000019
【図１８】
2007249049.tif 000020
【図１９】
2007249049.tif 000021
【図２０】
2007249049.tif 000022
【図２１】
2007249049.tif 000023
【図２２】
2007249049.tif 000024
【図２３】
2007249049.tif 000025
【図２４】
2007249049.tif 000026
【図２５】
2007249049.tif 000027
【図２６】
2007249049.tif 000028
【図２７】
2007249049.tif 000029
【図２８】
2007249049.tif 000030
【図２９】
2007249049.tif 000031
【図３０】
2007249049.tif 000032
【図３１】
2007249049.tif 000033
【図３２】
2007249049.tif 000034
【図３３】
2007249049.tif 000035
【図３４】
2007249049.tif 000036
【図３５】
2007249049.tif 000037
【図３６】
2007249049.tif 000038
【図３７】
2007249049.tif 000039
【図３８】
2007249049.tif 000040
【図３９】
2007249049.tif 000041